(57)【特許請求の範囲】
【請求項１】
脱塩処理もしくは減塩処理した海洋深層水を切り花生け水の一部として用い、切り花延命成分として糖類及び殺菌剤が含まれてなることを特徴とする切り花の延命方法。
【請求項２】
前記海洋深層水は、切り花用生け水中に少なくとも０．０１ｖｏｌ％以上含まれるように用いてなることを特徴とする請求項１記載の切り花の延命方法。
【請求項３】
脱塩処理もしくは減塩処理した海洋深層水を一部含有する切り花用生け水であって、切り花延命成分として糖類及び殺菌剤が含まれてなることを特徴とする切り花用延命水。
【請求項４】
前記海洋深層水は、０．０１ｖｏｌ％以上配合してなることを特徴とする請求項３に記載の切り花用延命水。
【請求項５】
前記海洋深層水は、０．０１ｖｏｌ％以上含配合され、水で希釈することにより濃度を調整して用いることを特徴とする請求項３又は請求項４に記載の切り花用延命水。
【請求項６】
脱塩処理もしくは減塩処理された海洋深層水０．０１ｖｏｌ％と、糖類及び殺菌剤からなる切り花延命成分３．３ｖｏｌ％と、水９６，６９％ｖｏｌ％とを配合してなることを特徴とする請求項３に記載の切り花用延命水。
【発明の詳細な説明】
【０００１】
【発明の属する技術分野】
本願発明は、切り花の延命方法と切り花用延命水に係るものであり、詳しくは、そのままもしくは水で希釈して生け水（花を挿す水）として用いることにより、切り花の鮮度の劣化による鑑賞価値の低下を遅らせて寿命を延長させてなる方法と、該生け水として用いる液体タイプの切り花用延命水に関するものである。
【０００２】
【従来の技術】
切り花を延命させる手段としては、生け水に漂白剤や中性洗剤を数滴落としたり、または生け水に１０円玉を入れることにより、漂白剤や中性洗剤または１０円玉である銅が有する殺菌作用を利用して細菌が繁殖するのを防いで生け水を清潔に保ち、切り花が長持ちするようにする方法や、生け水に砂糖を小さじ一杯程度溶かすことにより、砂糖が有する植物の栄養成分を利用して養分補給をし、切り花が長持ちするようにする方法が、家庭で簡単に行える手段として一般的に知られている。
【０００３】
また、殺菌剤や界面活性剤、糖類、窒素分といった成分を含む液状や粉末状、顆粒状、錠剤状といったタイプの市販されている切り花延命剤を水に溶かして生け水として用いることにより、各成分によって鮮度劣化を防止する方法も、家庭で簡単に行える切り花を延命させる手段として知られている。
【０００４】
【発明が解決しようとする課題】
しかしながら、生け水に漂白剤や中性洗剤、もしくは１０円玉を入れる手段では、市販されている切り花延命剤を用いた場合に比して切り花を長持ちさせることが出来ない。  また、市販されている切り花延命剤を用いた場合でも、十分満足がいく程度に切り花を長持ちさせることが出来なかった。
【０００５】
【課題を解決するための手段】
そこで、かかる課題を解決すべく、本願発明者は、栄養性に富み、細菌数が少なく清浄とされる、水深２００ｍ以深の深海より汲み上げられた海水である海洋深層水に、市販されている切り花延命剤と同様の作用効果があるのではとの推測の基に鋭意検討した結果、切り花を挿す生け水の一部として該海洋深層水を用いることとしたものである。
【０００６】
すなわち、本願発明は、上記海洋深層水だけで上記生け水を構成することはせずに、通常切り花を挿す生け水として用いられる水道水や井戸水等に、該海洋深層水を一部加えることにより切り花用延命水（すなわち、切り花を生けるための生け水）とし、切り花の鮮度の劣化による鑑賞価値の低下を遅らせて寿命を延長させるようにしたものである。
【０００７】
なお、ここで用いられる生け水に加えるための海洋深層水は、深海から汲み上げられた海洋深層水そのままではなく、これを、例えば半透膜を用いた逆浸透法等により脱塩処理もしくは減塩処理を施した海水のことを意図するものである。
【０００８】
また、本願発明は、切り花用生け水の一部として海洋深層水を加えるだけでなく、市販されている切り花延命剤の成分、すなわち、成長ホルモン及びブドウ糖等の栄養剤を含めた成長剤、細菌の繁殖を抑えるホルマリン等の殺菌剤、花の色艶を良く見せる塩化銅等の発色剤、吸水を良くする活性剤の何れか１又は２以上をさらに加えることにより切り花用延命水とし、市販されている切り花延命剤と海洋深層水との相乗効果により、市販されている切り花延命剤を単独で用いた場合よりも一層長く切り花の寿命を延長させるようにしたものでもある。
【０００９】
この際、生け水に単独で、もしくは市販されている切り花延命剤の成分である成長剤、殺菌剤、発色剤、界面活性剤の何れか１又は２以上とともに加えられる海洋深層水は、切り花用生け水中に少なくとも０．０１ｖｏｌ％以上含まれるようにすると望ましい。
【００１０】
そして、切り花用延命水とした場合の海洋深層水の含有量は、初めから前もって０．０１ｖｏｌ％の濃度に調整しておくとするものでも良いが、使用時に水で希釈することにより、例えば、０．０１ｖｏｌ％の濃度に調整して用いるとするものでも良い。
【００１１】
【実施例】
以下、本願発明の実施例について説明する。
まず、実施例１として、海洋深層水に、市販されている切り花延命剤と同様の作用効果があるのではとの推測の基に、切り花用生け水の成分を、▲１▼水道水だけ、▲２▼海洋深層水だけ、▲３▼水道水に市販の延命剤を３．３ｖｏｌ％添加（水道水は９６．７ｖｏｌ％）、▲４▼水道水に市販の延命剤３．３ｖｏｌ％及び海洋深層水０．０１ｖｏｌ％を添加（水道水は９６．６９ｖｏｌ％）、とした場合についての花がしおれる迄の日数を観測し、［表１］に示した。  この際、観測用の花としては、キクとバラの二種を用いた。
【００１２】
なお、この際海洋深層水は、沖縄本島の南方３０ｋｍ沖の公海で水深６００ｍと１４００ｍの二層から汲み上げた海水を混同し、塩分濃度を真水に近い値とした沖縄県海洋深層水開発協同組合製のものを用い、また、市販の延命剤は、ブドウ糖０．８ｖｏｌ％、ホルマリン０．０４ｖｏｌ％、みょうばん０．０７ｖｏｌ％が配合されたものを用いた。
【００１３】
【表１】
0003678642.tif 000002
【００１４】
上記［表１］より、市販されている切り花延命剤を用いた場合は、水道水単独の場合に比して切り花の寿命を延長させる延命効果を有することが明らかに確認することができたが、栄養性に富み、細菌数が少なく清浄とされる海洋深層水単独の場合は、水道水単独の場合と何ら差はなく、延命効果は何ら確認することが出来なかった。  しかしながら、市販されている切り花延命剤と海洋深層水とを併用した場合は、そのメカニズムは明らかでないが、上述のように単独では延命効果が明らかでないとされた海洋深層水であっても、市販されている切り花延命剤を単独で用いた場合よりもさらに延命効果を有することが確認できた。
【００１５】
次に、実施例２として、上記実施例１において切り花の寿命を延長させる延命効果を有することが確認できた、市販されている切り花延命剤を用いた場合と市販されている切り花延命剤と海洋深層水とを併用した場合での花やつぼみや葉の状態を、花や葉がしおれる迄観測し、［表２］に示した。  この際、観測用の花や葉としては、小菊と榊の二種を用いた。
【００１６】
【表２】
0003678642.tif 000003
【００１７】
上記［表２］より、明らかに市販されている切り花延命剤と海洋深層水とを併用した場合の方が、市販されている切り花延命剤を用いた場合よりも一層延命効果を有することが確認できた。  しかも、市販されている切り花延命剤と海洋深層水とを併用した場合は、花や葉の延命効果とともにつぼみを速く開花させる成長促進効果を有することも確認することが出来た。
【００１８】
【発明の効果】
以上のように本願発明によれば、何ら煩わしい手間を要することなく切り花用生け水の一部として海洋深層水を用いることにより、単に水だけを生け水として用いる場合よりも花や葉の寿命を延長させ、十分満足がいくように切り花を長持ちさせることが出来る。
【００１９】
しかも、市販されている切り花延命剤と海洋深層水とを併用することで、該切り花延命剤の延命効果を増長させることが出来るとともに、つぼみの成長を促進し速く開花させるさせることも出来る。